(57)【要約】【課題】効率良く屋内に太陽光を取り入れることができる複層ガラスを提供する。【解決手段】複層ガラス１は、第１ガラス板１０と、第１ガラス板１０に対向し、かつ、第１ガラス板１０との間に空間２０を形成するように配置された第２ガラス板１１と、第１ガラス板１０の空間２０側の主面１０ａに部分的に接着された、伸縮性を有する透光性の樹脂層３０と、第２空間２２の気圧を変更するピストン４０とを備え、樹脂層３０は、気体が密封された密封空間３１を有し、ピストン４０が第２空間２２を加圧又は減圧することで密封空間３１が収縮又は膨張することにより、形状が変化する。【選択図】図１
2016216311.tif 000002
【特許請求の範囲】
【請求項１】
第１ガラス板と、
前記第１ガラス板に対向し、かつ、前記第１ガラス板との間に空間を形成するように配置された第２ガラス板と、
前記第１ガラス板の前記空間側の主面に部分的に接着された、伸縮性を有する透光性の樹脂層と、
前記空間の気圧を変更する圧力可変機構とを備え、
前記樹脂層は、
気体が密封された密封空間を有し、
前記圧力可変機構が前記空間を加圧又は減圧することで前記密封空間が収縮又は膨張することにより、形状が変化する
複層ガラス。
【請求項２】
前記樹脂層は、前記主面との間の当該樹脂層が接着されていない部分に前記密封空間を有する
請求項１に記載の複層ガラス。
【請求項３】
前記樹脂層は、前記圧力可変機構が前記空間を減圧することで前記密封空間が前記主面の法線方向に膨張することにより、形状が変化する
請求項２に記載の複層ガラス。
【請求項４】
前記樹脂層は、前記主面に平行な第１方向に離散的に、かつ、前記主面に平行で、前記第１方向に略直交する第２方向に連続的に、前記主面に接着され、
前記密封空間は、前記第２方向に沿って長尺である
請求項３に記載の複層ガラス。
【請求項５】
前記複層ガラスは、屋外と屋内との間に、前記第１ガラス板が前記屋外側になり、前記第２ガラス板が前記屋内側になり、かつ、前記第２方向が水平方向に略一致するように設置される
請求項４に記載の複層ガラス。
【請求項６】
さらに、
太陽高度が所定の高度より低い場合に前記空間を減圧するように、前記圧力可変機構を制御する制御部を備える
請求項１〜５のいずれか１項に記載の複層ガラス。
【請求項７】
さらに、
日付又は時刻を表すタイマを備え、
前記制御部は、前記タイマが表す日付又は時刻に基づいて、前記圧力可変機構を制御する
請求項６に記載の複層ガラス。
【請求項８】
さらに、
太陽光を検知するセンサを備え、
前記制御部は、前記センサが検知した太陽光の前記第１ガラス板への入射角に基づいて、前記圧力可変機構を制御する
請求項６に記載の複層ガラス。
【発明の詳細な説明】
【技術分野】
【０００１】
本発明は、複層ガラスに関する。
【背景技術】
【０００２】
従来、太陽光などの外光を効率良く屋内に取り入れることができる採光シートが知られている（例えば、特許文献１参照）。特許文献１に記載の採光シートでは、光偏向層が設けられている。光偏向層は、光透過部と光偏向部とを有し、光偏向部が入射光を反射させることで、屋内に太陽光を取り入れている。
【先行技術文献】
【特許文献】
【０００３】
【特許文献１】国際公開第２０１４／１４７７９３号
【発明の概要】
【発明が解決しようとする課題】
【０００４】
しかしながら、特許文献１に開示された採光シートでは、入射光を効率良く所定の方向に配光させることができない。例えば、太陽光を屋内に取り入れたい場合に、太陽は季節及び時刻によって高度が変化するので、採光シートに入射する太陽光の入射角も変化する。このため、太陽光の入射角によっては、光偏向部は、太陽光を充分に反射させることができずに、屋内への採光効率が悪化する。
【０００５】
そこで、本発明は、入射光の入射角が変化する場合であっても効率良く所定の方向に配光させることができる複層ガラスを提供することを目的とする。
【課題を解決するための手段】
【０００６】
上記目的を達成するため、本発明の一態様に係る複層ガラスは、第１ガラス板と、前記第１ガラス板に対向し、かつ、前記第１ガラス板との間に空間を形成するように配置された第２ガラス板と、前記第１ガラス板の前記空間側の主面に部分的に接着された、伸縮性を有する透光性の樹脂層と、前記空間の気圧を変更する圧力可変機構とを備え、前記樹脂層は、気体が密封された密封空間を有し、前記圧力可変機構が前記空間を加圧又は減圧することで前記密封空間が収縮又は膨張することにより、形状が変化する。
【発明の効果】
【０００７】
本発明に係る複層ガラスによれば、入射光の入射角が変化する場合であっても効率良く所定の方向に配光させることができる。
【図面の簡単な説明】
【０００８】
【図１】実施の形態に係る複層ガラスの断面図である。
【図２】実施の形態に係る複層ガラスのピストンの位置と樹脂層及び基体層の形状との関係を模式的に示す断面図である。
【図３】実施の形態に係る複層ガラスの密封空間の形状と入射光との関係を説明するための図である。
【図４Ａ】実施の形態に係る複層ガラスが透明状態である場合の密封空間の形状を示す断面図である。
【図４Ｂ】実施の形態に係る複層ガラスが配光状態である場合において、太陽高度が高いときの密封空間の形状を示す断面図である。
【図４Ｃ】実施の形態に係る複層ガラスが配光状態である場合において、太陽高度が低いときの密封空間の形状を示す断面図である。
【図５】実施の形態に係る複層ガラスへ入射する太陽光の角度を示す図である。
【図６】実施の形態に係る複層ガラスのピストンを制御するための構成を示すブロック図である。
【図７】実施の形態に係る複層ガラスのピストンを制御するための別の構成を示すブロック図である。
【図８】実施の形態の変形例に係る複層ガラスの断面図である。
【発明を実施するための形態】
【０００９】
以下では、本発明の実施の形態に係る複層ガラスについて、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。したがって、例えば、各図において縮尺などは必ずしも一致しない。また、各図において、同じ構成部材については同じ符号を付しており、重複する説明は省略又は簡略化する。
【００１１】
また、以下の実施の形態において、略直交又は略一致などの表現を用いている。例えば、略直交は、完全に直交であることを意味するだけでなく、実質的に直交する、すなわち、数％程度の誤差を含むことも意味する。他の「略」を用いた表現についても同様である。
【００１２】
（実施の形態）
［構成］
まず、本実施の形態に係る複層ガラス１の構成について、図１を用いて説明する。図１は、本実施の形態に係る複層ガラス１の断面図である。
【００１３】
本実施の形態に係る複層ガラス１は、配光を制御することができる配光制御デバイスである。図１に示すように、複層ガラス１は、第１ガラス板１０と、第２ガラス板１１と、樹脂層３０と、ピストン（圧力可変機構）４０とを備える。第１ガラス板１０と第２ガラス板１１との間には、空間２０が形成されている。
【００１４】
本実施の形態では、樹脂層３０は、密封空間３１を有する。また、複層ガラス１は、さらに、接着層５０と、枠体６０と、注入バルブ６１と、リークバルブ６２とを備える。なお、図１には示していないが、複層ガラス１は、ピストン４０を制御するコントローラ７０を備える（図６参照）。
【００１５】
図１に示すように、複層ガラス１は、例えば、屋外（室外）と屋内（室内）との間に設置される。本実施の形態では、複層ガラス１は、第１ガラス板１０が屋外側になり、かつ、第２ガラス板１１が屋内側になるように設置される。具体的には、複層ガラス１は、密封空間３１の長尺方向が水平方向に略一致するように設置される。なお、図１において、密封空間３１の長尺方向は、紙面奥行き方向である。例えば、複層ガラス１は、第１ガラス板１０（又は第２ガラス板１１）が鉛直方向に平行になるように設置される。
【００１６】
複層ガラス１は、例えば、建物の窓として利用することができる。あるいは、複層ガラス１は、既存の窓ガラスに対面するように（例えば、窓ガラスに貼り付けることで）設置されてもよい。
【００１７】
なお、複層ガラス１は、建物用の窓に限らず、例えば、自動車若しくは電車などの車両、又は、飛行機などの移動体の窓に利用してもよい。複層ガラス１を車両又は飛行機などの窓に用いる場合、屋外とは車外（機外）のことであり、屋内とは車内（機内）のことである。
【００１８】
以下、複層ガラス１の各構成部材などについて詳細に説明する。
【００１９】
［ガラス板］
第１ガラス板１０及び第２ガラス板１１は、透光性を有し、可視光の少なくとも一部を透過させる。第１ガラス板１０及び第２ガラス板１１は、例えば、ソーダガラス、無アルカリガラス又は高屈折率ガラスなどから形成される透明な平板である。第１ガラス板１０及び第２ガラス板１１の屈折率は、例えば、１．３〜２．０の範囲内にあるが、これに限らない。
【００２０】
第２ガラス板１１は、図１に示すように、第１ガラス板１０に対向し、かつ、第１ガラス板１０との間に空間２０を形成するように配置されている。具体的には、第１ガラス板１０と第２ガラス板１１とは、互いの距離（空間２０の厚さ）が略一定になるように略平行に配置されている。第１ガラス板１０と第２ガラス板１１との間隔は、例えば、２ｃｍ〜３ｃｍである。
【００２１】
第１ガラス板１０及び第２ガラス板１１は、略同じ形状及び略同じ大きさを有し、平面視において互いに重なるように配置されている。なお、「平面視」とは、複層ガラス１を正面から見た場合を意味する。具体的には、「平面視」とは、第１ガラス板１０の主面（面積が最大の面）を正面から見た場合、例えば、太陽光の入射面（屋外側の主面）を正面から見た場合を意味する。
【００２２】
第１ガラス板１０及び第２ガラス板１１の平面視形状は、例えば、矩形であるが、正方形若しくはその他多角形、又は、円形若しくは楕円形などでもよい。第１ガラス板１０及び第２ガラス板１１は、例えば、同じ材料から形成されるが、異なる材料から形成されてもよい。また、第１ガラス板１０及び第２ガラス板１１は、可撓性を有してもよい。
【００２３】
［空間］
空間２０は、第１ガラス板１０と第２ガラス板１１との間に形成されている。本実施の形態では、空間２０は、第１ガラス板１０と第２ガラス板１１と枠体６０とに囲まれて封止されている。
【００２４】
図１に示すように、空間２０は、ピストン４０によって、第１空間２１と第２空間２２とに分割されている。このとき、ピストン４０は、空間２０内を厚み方向に移動することができる。これにより、第１空間２１及び第２空間２２の各々の体積は可変になる。なお、「厚み方向」とは、複層ガラス１の厚み方向を意味する。具体的には、「厚み方向」は、第１ガラス板１０（又は第２ガラス板１１）の主面に垂直な方向である。
【００２５】
第１空間２１は、ピストン４０と第２ガラス板１１と枠体６０とに囲まれた空間である。図１に示すように、枠体６０の第１空間２１側の一部に、注入バルブ６１とリークバルブ６２とが設けられている。
【００２６】
第２空間２２は、ピストン４０と第１ガラス板１０と枠体６０とに囲まれた空間である。図１に示すように、第２空間２２には、樹脂層３０、接着層５０及び密封空間３１が設けられている。
【００２７】
空間２０（具体的には、第１空間２１及び第２空間２２の各々）には、気体が所定の圧力で封止されている。空間２０に封止された気体は、例えば、熱貫流率の低い気体である。気体は、例えば、空気（又は乾燥空気）であるが、これに限らず、窒素、アルゴンなどでもよい。
【００２８】
このとき、第１空間２１と第２空間２２とは連通しておらず、第１空間２１と第２空間２２との間で、気体の流動（行き来）はない。すなわち、第２空間２２は、完全に密閉されており、第１空間２１との間だけでなく、複層ガラス１の外部との間でも気体の流入及び流出が行われない。第１空間２１は、注入バルブ６１及びリークバルブ６２が閉められている場合には、完全に密閉されており、第２空間２２との間だけでなく、複層ガラス１の外部との間でも気体の流入及び流出が行われない。
【００２９】
第１空間２１には、注入バルブ６１とリークバルブ６２とを介して気体の供給及び排出が可能である。具体的には、注入バルブ６１を介して気体を第１空間２１に供給することで、第１空間２１の体積を増加させることで、ピストン４０を第２空間２２側に押し込むことができる。リークバルブ６２を介して第１空間２１内の気体を排出することで、第１空間２１の体積を減少させて、ピストン４０を第１空間２１側に引き出すことができる。
【００３０】
なお、空間２０に封止された気体の圧力は、例えば、大気圧であるが、これに限らない。例えば、空間２０の圧力が大気圧より大きい場合、リークバルブ６２を開けるだけで、第１空間２１の空気が外部に排出されて、ピストン４０を第１空間２１側に引き出すことができる。一方で、空間２０の圧力が大気圧より小さい場合、注入バルブ６１を開けるだけで、外部から第１空間２１に空気が供給される。したがって、これらの場合、ポンプなどの気体を送るための送気装置は必要ではない。
【００３１】
第２空間２２は、完全に密閉されているために、ピストン４０の移動によって体積が変化した場合、ボイルの法則に基づいて気圧が変化する。具体的には、第２空間２２の気圧は、体積が増加した場合に減少し、体積が減少した場合に増加する。第２空間２２の気圧が増減することで、樹脂層３０及び密封空間３１の形状が変化する。詳細については、図２を用いて後で説明する。
【００３２】
［樹脂層］
樹脂層３０は、透光性を有し、可視光の少なくとも一部を透過する。樹脂層３０の屈折率は、例えば、１．３〜２．０の範囲内にあるが、これに限らない。樹脂層３０の屈折率は、密封空間３１の屈折率より大きく、例えば、第１ガラス板１０及び第２ガラス板１１の屈折率と同じである。
【００３３】
本実施の形態では、樹脂層３０は、シート状の樹脂フィルムである。樹脂層３０は、例えば、アクリル、エポキシ又はポリジメチルシロキサン（ＰＤＭＳ）などから形成される。
【００３４】
樹脂層３０は、第１ガラス板１０の空間２０側の主面１０ａに部分的に接着されている。具体的には、樹脂層３０は、複数の接着層５０によって主面１０ａに接着されている。
【００３５】
樹脂層３０は、気体が密封された密封空間３１を有する。本実施の形態では、樹脂層３０は、主面１０ａとの間の樹脂層３０が接着されていない部分に密封空間３１を有する。図１に示すように、主面１０ａと樹脂層３０との間に、複数の密封空間３１が形成されている。
【００３６】
本実施の形態では、樹脂層３０は、第１方向に離散的に、かつ、第１方向に略直交する第２方向に連続的に、第１ガラス板１０の主面に接着されている。第１方向は、例えば、複層ガラス１が屋外と屋内との間に設置されたときの鉛直方向（図１における紙面上下方向）であり、第２方向は、水平方向（図１における紙面奥行き方向）である。
【００３７】
本実施の形態では、樹脂層３０は、鉛直方向において、第１ガラス板１０の主面に等間隔で接着されている。つまり、複数の接着層５０が等間隔で設けられており、複数の密封空間３１の鉛直方向における幅が互いに略等しくなる。
【００３８】
樹脂層３０は、伸縮性を有する。樹脂層３０は、ピストン４０が空間２０を加圧又は減圧することで、形状が変化する。具体的には、ピストン４０が空間２０内を厚み方向に移動することで、第２空間２２を加圧又は減圧する。これによって、樹脂層３０は、密封空間３１が収縮又は膨張することにより、形状が変化する。形状の変化の詳細については、図２を用いて後で説明する。
【００３９】
［密封空間］
密封空間３１は、第１ガラス板１０の主面１０ａと樹脂層３０との間の、主面１０ａに樹脂層３０が接着されていない部分に形成されている。具体的には、密封空間３１は、主面１０ａ、樹脂層３０、及び、隣り合う２つの接着層５０によって囲まれた空間である。密封空間３１には、気体が密封封止されている。
【００４０】
密封空間３１を形成する気体は、例えば、乾燥空気であるが、これに限らない。当該気体は、例えば、窒素、アルゴンなどの気体でもよい。密封空間３１を形成する気体は、例えば、第２空間２２に封止された気体と同じである。
【００４１】
密封空間３１の屈折率は、樹脂層３０の屈折率より小さい。このため、樹脂層３０から密封空間３１に向けて進行する光は、樹脂層３０と密封空間３１との間の界面で屈折又は反射する。本実施の形態に係る複層ガラス１は、密封空間３１の形状を変化させることで、樹脂層３０と密封空間３１との間の界面で、より多くの光を所定の方向に反射させる。詳細については、後で説明する。
【００４２】
［ピストン］
ピストン４０は、空間２０の気圧を変更する圧力可変機構の一例である。具体的には、ピストン４０は、第２空間２２の気圧を増加又は減少させる。
【００４３】
ピストン４０は、空間２０内を厚み方向に移動可能に配置されている。ピストン４０は、厚み方向に移動することで、第２空間２２の体積を変化させて、第２空間２２を加圧又は減圧する。具体的には、ピストン４０は、第２ガラス板１１側に移動した場合に、第２空間２２の体積を大きくし、第２空間２２の気圧を減少させる。また、ピストン４０は、第１ガラス板１０側に移動した場合に、第２空間２２の体積を小さくし、第２空間２２の気圧を増加させる。ピストン４０の移動は、第１空間２１の体積（気圧）を調整することで行われる。
【００４４】
図１に示すように、ピストン４０は、本体４１と、パッキン４２とを備える。
【００４５】
本体４１は、透光性を有し、可視光の少なくとも一部を透過させる。本体４１は、例えば、ソーダガラス、無アルカリガラス又は高屈折率ガラスなどから形成される透明な平板である。あるいは、本体４１は、透光性の樹脂材料から形成されてもよい。本体４１は、第１ガラス板１０と略同じ形状及び大きさを有する。
【００４６】
パッキン４２は、本体４１の外周に沿って環状に設けられたシール部材である。パッキン４２は、例えば、エラストマーなどの樹脂材料から形成される。パッキン４２は、透光性を有してもよく、あるいは、遮光性を有してもよい。
【００４７】
パッキン４２は、ピストン４０が空間２０内を移動する際に、第２空間２２の密封性を維持する。すなわち、パッキン４２は、枠体６０との間に隙間が形成されないように設けられ、第１空間２１と第２空間２２との間での気体の流動を抑制する。
【００４８】
［接着層］
接着層５０は、樹脂層３０を第１ガラス板１０の主面１０ａに接着する。本実施の形態では、複数の接着層５０によって、樹脂層３０を主面１０ａに部分的に接着している。
【００４９】
接着層５０は、透光性を有し、可視光の少なくとも一部を透過させる。接着層５０は、例えば、ＯＣＡ（Ｏｐｔｉｃａｌｌｙ  Ｃｌｅａｒ  Ａｄｈｅｓｉｖｅ）テープなどである。接着層５０は、例えば、水平方向（第２方向）に長尺の帯状に形成されている。
【００５０】
複数の接着層５０は、鉛直方向（第１方向）に離散的に、かつ、水平方向（第２方向）に連続的に形成されている。具体的には、水平方向に長尺の帯状の接着層５０が、鉛直方向に所定の間隔を空けて離散的に配置されている。鉛直方向において、複数の接着層５０の幅、及び、隣り合う接着層５０間の間隔（ピッチ）はそれぞれ、略均一である。接着層５０の幅及びピッチはそれぞれ、例えば、数μｍである。接着層５０の幅及びピッチは、互いに同じでもよく、異なっていてもよい。
【００５１】
本実施の形態では、図１に示すように、第１ガラス板１０の主面１０ａは平面である。平らな主面１０ａに複数の接着層５０を配置し、シート状の樹脂層３０を複数の接着層５０の各々に貼り付けることで、隣り合う接着層５０の間に、接着層５０の厚み分の密封空間３１が形成される。このように、接着層５０の厚みを利用して、容易に密封空間３１を形成することができる。
【００５２】
［枠体及びバルブ］
枠体６０は、第１ガラス板１０及び第２ガラス板１１の外周に沿って設けられた環状の枠体である。具体的には、枠体６０は、第１ガラス板１０と第２ガラス板１１との各々に隙間なく接着されている。つまり、空間２０と外部空間（複層ガラス１の外側）とが連通しないように、枠体６０は、第１ガラス板１０及び第２ガラス板１１とともに、空間２０を密封封止している。
【００５３】
枠体６０は、例えば、アルミニウムなどの金属材料から形成されるが、これに限らない。枠体６０は、ガラス又は樹脂材料から形成されてもよい。
【００５４】
枠体６０には、図１に示すように、注入バルブ６１及びリークバルブ６２が設けられている。本実施の形態では、注入バルブ６１及びリークバルブ６２は、第２ガラス板１１の近傍に設けられている。すなわち、注入バルブ６１及びリークバルブ６２は、第１空間２１に対して気体の供給又は排出が可能になるように配置されている。
【００５５】
注入バルブ６１は、第１空間２１に気体を供給するためのバルブである。注入バルブ６１は、開かれた場合に、気体（例えば、空気）を第１空間２１に供給する。注入バルブ６１は、閉じられた場合に、第１空間２１からの気体が漏れ出ないようにする。
【００５６】
リークバルブ６２は、第１空間２１に封入された気体を外部に排出するためのバルブである。リークバルブ６２は、開かれた場合に、気体（例えば、空気）を第１空間２１から排出する。リークバルブ６２は、閉じられた場合に、第１空間２１からの気体が漏れ出ないようにする。
【００５７】
注入バルブ６１を介して気体を第１空間２１に供給した場合、第１空間２１の体積が増加し、ピストン４０を第２空間２２側に押し込む。これにより、第２空間２２が収縮し、第２空間２２の気圧が増加する。
【００５８】
リークバルブ６２を介して気体を第１空間２１から排出した場合、第１空間２１の体積が減少し、ピストン４０を第１空間２１側に引き込む。これにより、第２空間２２が膨張し、第２空間２２の気圧が増加する。
【００５９】
［樹脂層及び密封空間の形状変化］
次に、樹脂層３０及び密封空間３１の形状の変化について、図２を用いて説明する。
【００６０】
図２は、本実施の形態に係る複層ガラス１のピストン４０の位置と樹脂層３０及び密封空間３１の形状との関係を模式的に示す断面図である。具体的には、図２の（ａ）は、図１と同じであり、より具体的には、ピストン４０が基準位置Ｐ０に位置する状態を示している。図２の（ｂ）は、図２の（ａ）に示す状態から第２空間２２が減圧された状態を示し、図２の（ｃ）に示す状態より第２空間２２が加圧された状態を示している。図２の（ｃ）は、図２の（ａ）に示す状態から第２空間２２が十分に減圧された状態を示し、図２の（ｂ）に示す状態より第２空間２２が減圧された状態を示している。
【００６１】
本実施の形態では、図２の（ａ）に示すように、樹脂層３０が略平坦である場合を、通常状態（すなわち、加圧も減圧もされていない状態）とする。すなわち、図２の（ａ）に示すピストン４０の位置を基準位置Ｐ０とする。このとき、第１空間２１及び第２空間２２の気圧は、例えば、大気圧である。なお、詳細については後で説明するが、樹脂層３０が略平坦である場合に、複層ガラス１は、透明状態（透明モード）になる。すなわち、透明状態において、複層ガラス１は、入射する光をほとんど屈折又は反射させることなく、そのまま透過する。
【００６２】
図２の（ｂ）は、ピストン４０が位置Ｐ１に位置する場合を示している。位置Ｐ１は、基準位置Ｐ０から第２ガラス板１１側に距離ｄ１だけ離れた位置である。図２の（ｂ）に示すように、ピストン４０が樹脂層３０から離れるように移動した場合、第２空間２２の体積が増加する。第２空間２２は密閉されているので、ボイルの法則に基づいて、第２空間２２の気圧が減圧される。したがって、密封空間３１の気圧が第２空間２２の気圧より高くなるので、密封空間３１が膨張する。
【００６３】
密封空間３１は、主面１０ａの法線方向（すなわち、厚み方向）に膨張する。これにより、図２の（ｂ）に示すように、密封空間３１は厚み方向に凸（例えば、断面が略半円状）に変形し、これによって、樹脂層３０も厚み方向に凸になるように変形する。なお、ピストン４０の位置が固定された場合、密封空間３１の気圧が第２空間２２の気圧と同じになった状態で、密封空間３１及び樹脂層３０の形状も維持される。
【００６４】
図２の（ｃ）は、ピストン４０が位置Ｐ２に位置する場合を示している。位置Ｐ２は、基準位置Ｐ０から第２ガラス板１１側に距離ｄ２だけ離れた位置である。ここで、距離ｄ２は、距離ｄ１より大きい。すなわち、図２の（ｃ）では、図２の（ｂ）に示す状態よりも、ピストン４０が樹脂層３０から離れている。
【００６５】
図２の（ｃ）に示すように、ピストン４０が樹脂層３０から離れる距離が増えた場合、第２空間２２の体積がさらに増加する。したがって、第２空間２２の気圧がさらに減圧されて、密封空間３１がより大きく膨張する。これにより、図２の（ｃ）に示すように、密封空間３１の厚み方向への長さがより大きくなる。
【００６６】
以上のように、本実施の形態に係る樹脂層３０は、密封空間３１が収縮又は膨張したときに、主面１０ａとの接着が外れることなく変形できる程度の伸縮性を有する。例えば、樹脂層３０は、密封空間３１のアスペクト比が最大で１０になるように、伸縮性を有する。なお、密封空間３１のアスペクト比は、鉛直方向における密封空間３１の幅ｗに対する、厚み方向における凸状の密封空間３１の長さｈ（すなわち、膨張方向の長さ）である。凸状の密封空間３１の長さとは、密封空間３１が膨張したときの、主面１０ａと、密封空間３１の主面１０ａから最も離れた部分との距離である。
【００６７】
本実施の形態では、例えば、密封空間３１の鉛直方向における幅（すなわち、隣り合う接着層５０間の距離）が数μｍである。このとき、密封空間３１は、例えば、膨張方向の長さが最大で２０μｍまで変形することができる。
【００６８】
本実施の形態では、ピストン４０の移動（すなわち、第２空間２２の加圧又は減圧）は、注入バルブ６１及びリークバルブ６２の開閉を制御することで行われる。例えば、注入バルブ６１を開け、かつ、リークバルブ６２を閉じることで、第１空間２１に気体を注入する。これにより、第１空間２１の体積を増加させて、ピストン４０を第２空間２２側に押し込むことで、第２空間２２を加圧する。また、例えば、注入バルブ６１を閉じ、かつ、リークバルブ６２を開けることで、第１空間２１の気体を排出する。これにより、第１空間２１の体積を減少させて、ピストン４０を第１空間２１側に引き込むことで、第２空間２２を減圧する。
【００６９】
このとき、注入バルブ６１及びリークバルブ６２の少なくとも一方には、ポンプなどの気体を送るための送気装置が設けられている。本実施の形態では、図２の（ａ）に示す状態において、第１空間２１の気圧が大気圧に略等しい。したがって、リークバルブ６２にポンプを設け、第１空間２１から気体を外部に排出することで、第１空間２１及び第２空間２２の気圧を減少させることができる。これにより、図２の（ｂ）又は（ｃ）の状態を実現することができる。
【００７０】
図２の（ｂ）又は（ｃ）の状態から第１空間２１及び第２空間２２を加圧する際は、第１空間２１の気圧が大気圧より低いので、注入バルブ６１を開けることで、外部から第１空間２１に気体を供給することができる。すなわち、注入バルブ６１にはポンプを設ける必要はない。
【００７１】
なお、第１空間２１及び第２空間２２の気圧は一例に過ぎず、この例に限らない。例えば、図２の（ｃ）に示す状態で、第１空間２１及び第２空間２２の気圧が大気圧に略等しくてもよい。つまり、図２の（ａ）に示す状態では、第１空間２１及び第２空間２２の気圧が大気圧より大きくてもよい。この場合、注入バルブ６１にポンプを設ければよく、リークバルブ６２にはポンプは設けられていなくてもよい。
【００７２】
［密封空間の形状と入射光との関係］
次に、密封空間３１の形状と複層ガラス１に入射する入射光（例えば、太陽光）との関係について、図３を用いて説明する。図３は、本実施の形態に係る複層ガラス１の密封空間３１の形状と入射光との関係を説明するための図である。なお、図３において、入射光の光路を実線の矢印で示している。
【００７３】
図３の（ａ）は、入射光に対して密封空間３１の形状が適切な一例を示している。本実施の形態では、樹脂層３０の屈折率より密封空間３１の屈折率が小さいので、入射光は、樹脂層３０と密封空間３１との界面で屈折又は反射する。
【００７４】
入射光が太陽光である場合、太陽光を屋内に効率良く取り入れるためには、太陽光を反射させて屋内の斜め上方に進行させることが好ましい。具体的には、多くの太陽光を樹脂層３０と密封空間３１との界面で全反射させることが好ましい。多くの太陽光を全反射させるためには、当該界面への太陽光の入射角が臨界角より大きくなるように、樹脂層３０と密封空間３１との界面の形状を調節すればよい。太陽光の全反射面となる界面は、図３に示すように、密封空間３１の鉛直上方側の界面である。
【００７５】
図３の（ａ）では、太陽光の入射角が臨界角より大きくなる界面の面積が所定の面積より大きい。これにより、多くの太陽光を全反射させることができる。つまり、複層ガラス１から出射される太陽光の上向き成分が多くなる。
【００７６】
一方で、図３の（ｂ）及び（ｃ）は、入射光に対して密封空間３１の形状が不適切な一例を示している。
【００７７】
図３の（ｂ）は、入射光が図３の（ａ）と同じであるのに対して、密封空間３１の形状が図３の（ａ）とは異なっている場合を示している。具体的には、図３の（ｂ）に示す密封空間３１は、図３の（ａ）に示す密封空間３１より小さい。
【００７８】
このため、太陽光の入射角が臨界角より大きくなる界面の面積が小さくなる。したがって、太陽光の一部は、密封空間３１と樹脂層３０との界面で斜め上方に向けて反射されるものの、多くの太陽光が、界面に入射することなく、そのまま斜め下方に向けて進行する。つまり、図３の（ｂ）に示す密封空間３１の形状では、図３の（ａ）に比べて、複層ガラス１から出射される太陽光の上向き成分が少ない。
【００７９】
また、図３の（ｃ）は、密封空間３１の形状が図３の（ａ）と同じであるのに対して、入射光が図３の（ａ）とは異なっている場合を示している。具体的には、図３の（ｂ）に示す入射光は、図３の（ａ）に示す入射光より高い位置から入射される。
【００８０】
このため、多くの太陽光は、密封空間３１と樹脂層３０との界面に、臨界角より小さい入射角で入射する。したがって、太陽光の一部は、密封空間３１と樹脂層３０との界面で反射されるものの、多くの太陽光は、界面で反射されずに屈折して密封空間３１内を進行する。つまり、図３の（ｃ）に示す密封空間３１では、全反射が起こる成分が少ない。
【００８１】
以上のように、密封空間３１の形状の適否は、太陽光の入射角に依存する。つまり、太陽光の入射角に応じて密封空間３１の形状を変化させることで、より多くの光を屋内の上側に向けて進行させることができる。太陽光の入射角は太陽高度に依存するので、本実施の形態では、太陽高度に基づいて密封空間３１の形状を変化させる。
【００８２】
［太陽高度と密封空間の形状］
以下では、太陽高度と密封空間３１の形状との関係について、図４Ａ〜図４Ｃについて説明する。
【００８３】
本実施の形態では、複層ガラス１は、透明状態（透明モード）と配光状態（配光モード）との２つの状態（モード）を有する。まず、図４Ａを用いて、複層ガラス１が透明状態である場合について説明する。図４Ａは、本実施の形態に係る複層ガラス１が透明状態である場合の密封空間３１の形状を示す断面図である。なお、図４Ａでは、太陽光を実線の矢印で示している。後述する図４Ｂ及び図４Ｃでも同様である。
【００８４】
図４Ａは、図２の（ａ）と同じである。すなわち、透明状態では、樹脂層３０が略平坦であり、ピストン４０が基準位置Ｐ０に位置する。
【００８５】
透明状態では、図４Ａに示すように、太陽光は、ほとんどそのまま進行する。なお、実際には、太陽光は、密封空間３１を透過するときに、密封空間３１と第１ガラス板１０又は樹脂層３０との屈折率の差によって屈折する。また、太陽光の一部は、接着層５０と密封空間３１との界面で反射する。しかしながら、密封空間３１は微小な空間であり、屈折及び反射はほとんど影響を受けない。したがって、複層ガラス１は、光をそのまま透過するとみなすことができるので、樹脂層３０が略平坦である場合、複層ガラス１は、透明状態になる。
【００８６】
続いて、複層ガラス１が配光状態である場合について、図４Ｂ及び図４Ｃを用いて説明する。配光状態では、複層ガラス１は、太陽高度に基づいて、密封空間３１及び樹脂層３０の形状を変化させる。
【００８７】
図４Ｂは、本実施の形態に係る複層ガラス１が配光状態である場合において、太陽高度が高いときの密封空間３１の形状を示す断面図である。図４Ｃは、本実施の形態に係る複層ガラス１が配光状態である場合において、太陽高度が低いときの密封空間３１の形状を示す断面図である。図４Ｂ及び図４Ｃはそれぞれ、図２の（ｂ）及び（ｃ）と同じである。すなわち、配光状態では、ピストン４０は、基準位置Ｐ０とは異なる位置に位置する。
【００８８】
図４Ｂ及び図４Ｃに示すように、太陽高度が高い場合の密封空間３１の膨張方向の長さｈ１は、太陽高度が低い場合の密封空間３１の膨張方向の長さｈ２より短い。
【００８９】
例えば、図４Ｂに示すように、太陽高度が高い場合、密封空間３１の断面形状は、略半円状である。すなわち、膨張方向の長さｈ１は、密封空間３１の幅ｗの約半分である。一例として、太陽高度が所定の角度以下の場合に、膨張方向の長さｈ１は、密封空間３１の幅ｗの２倍以下の範囲にある。具体的には、太陽高度が、樹脂層３０の屈折率及び密封空間３１の屈折率に基づく所定の条件を満たす場合に、密封空間３１の断面形状を略半円状にする。
【００９０】
図５は、実施の形態に係る複層ガラス１へ入射する太陽光の角度を示す図である。図５に示すように、第１ガラス板１０に平行な方向（同図における破線）と太陽光とのなす角度をθとする。なお、第１ガラス板１０に平行な方向は、具体的には、鉛直方向である。つまり、太陽高度は、９０度−θに相当する。また、樹脂層３０の屈折率をｎ１、密封空間３１の屈折率をｎ２とする。
【００９１】
このとき、例えば、ｎ１ｓｉｎθ＜ｎ２の場合に、図４Ｂに示すように、密封空間３１の断面形状を略半円状にする。具体的には、ｎ１ｓｉｎθ＜ｎ２の場合に、ピストン４０を位置Ｐ１に移動させることで、第２空間２２の圧力を調整し、密封空間３１の断面形状を略半円状にする。
【００９２】
これにより、高度が高い太陽からの太陽光、すなわち、第１ガラス板１０に対する入射角が大きい太陽光を、密封空間３１と樹脂層３０との界面において反射させることができる。図４Ｂに示すように、屋内の上方に向けて反射させることで、屋内への採光効率を高めることができる。
【００９３】
また、図４Ｃに示すように、太陽高度が低い場合、密封空間３１の断面形状は、例えば、略半長円状である。すなわち、膨張方向の長さｈ２は、密封空間３１の幅ｗの２倍〜１０倍である。一例として、太陽高度が所定の角度より大きい場合に、膨張方向の長さｈ２は、密封空間３１の幅ｗの２倍より大きい範囲にある。
【００９４】
例えば、ｎ１ｓｉｎθ＞ｎ２の場合に、図４Ｃに示すように、密封空間３１の断面形状を略半長円状にする。具体的には、ｎ１ｓｉｎθ＞ｎ２の場合に、ピストン４０を位置Ｐ２に移動させることで、第２空間２２の圧力を調整し、密封空間３１の断面形状を略半長円状にする。
【００９５】
これにより、高度が低い太陽からの太陽光、すなわち、第１ガラス板１０に対する入射角が小さい太陽光を、密封空間３１と樹脂層３０との界面において反射させることができる。図４Ｃに示すように、屋内の上方に向けて反射させることで、屋内への採光効率を高めることができる。
【００９６】
［機能構成］
以下では、上述したように、太陽高度に応じて密封空間３１を変形させるための機能構成について、図６を用いて説明する。図６は、本実施の形態に係る複層ガラス１のピストン４０を制御するための構成を示すブロック図である。なお、図６において、実線の矢印は、構成要素間を伝達される電気信号を示しており、破線の矢印は、構成要素間を伝達される機械的な作用（力）を示している。後述する図７についても同様である。
【００９７】
図６に示すように、複層ガラス１は、コントローラ７０と、タイマ８０とを備える。
【００９８】
コントローラ７０は、太陽高度が所定の高度より低い場合に第２空間２２を減圧するように、ピストン４０を制御する制御部である。コントローラ７０は、例えば、マイコンなどである。
【００９９】
具体的には、コントローラ７０は、太陽高度が所定の高度より低い場合に第２空間２２を所定の気圧（第１気圧）に減圧し、太陽高度が所定の高度より高い場合に第２空間２２を、当該所定の気圧より低い気圧（第２気圧）に減圧する。すなわち、コントローラ７０は、太陽高度が低い場合に密封空間３１の膨張量を大きくし、太陽高度が高い場合に密封空間３１の膨張量を小さくする。より具体的には、コントローラ７０は、太陽高度が低い場合に密封空間３１の膨張方向の長さｈを長くし、太陽高度が高い場合に密封空間３１の膨張方向の長さｈを短くする。
【０１００】
ここで、太陽高度と日付又は時刻とは、相関関係を有する。例えば、春、秋又は冬は太陽高度が低く、夏は太陽高度が高い。また、午前中又は夕方は太陽高度が低く、日中は太陽高度が高い。
【０１０１】
したがって、本実施の形態では、コントローラ７０は、タイマ８０が表す日付又は時刻に基づいて、ピストン４０を制御する。具体的には、コントローラ７０は、例えば、日付又は時刻とピストン４０の制御量とを対応付けたテーブルを用いて、日付又は時刻に対応する制御量でピストン４０を制御する。
【０１０２】
ピストン４０の制御量は、例えば、ピストン４０の位置（又は、基準位置Ｐ０からの移動量）である。コントローラ７０は、日付又は時刻に対応する位置にピストン４０が移動するように、注入バルブ６１又はリークバルブ６２の開閉を制御する。なお、テーブルには、注入バルブ６１又はリークバルブ６２の制御量（例えば、開閉時間又は供給若しくは排出する気体量）が対応付けられていてもよい。テーブルは、例えば、コントローラ７０が有する記憶部（図示せず）などに記憶されている。
【０１０３】
タイマ８０は、日付又は時刻を表す。具体的には、タイマ８０が表す日付は、月及び日の少なくとも一方である。タイマ８０が表す時刻は、時、分及び秒の少なくとも１つである。
【０１０４】
例えば、コントローラ７０は、タイマ８０が表す日付に基づいてピストン４０を制御することで、太陽高度の季節変化に応じて密封空間３１の形状を変化させることができる。具体的には、コントローラ７０は、タイマ８０が表す日付が春、秋若しくは冬に属する場合、第２空間２２を充分に減圧することで、図４Ｃに示すように密封空間３１を大きく膨張させる。コントローラ７０は、タイマ８０が表す日付が夏に属する場合、第２空間２２を少しだけ減圧することで、図４Ｂに示すように密封空間３１を僅かに膨張させる。
【０１０５】
なお、ここでは、図４Ｂと図４Ｃとの２つの状態のみについて示したが、連続的に密封空間３１を変化させてもよい。例えば、コントローラ７０は、日毎に異なる制御量でピストン４０を制御してもよい。
【０１０６】
また、例えば、コントローラ７０は、タイマ８０が表す時刻に基づいてピストン４０を制御することで、太陽高度の一日の変化に応じて密封空間３１の形状を変化させることができる。具体的には、コントローラ７０は、タイマ８０が表す日付が午前中又は夕方に属する場合、第２空間２２を充分に減圧することで、図４Ｃに示すように密封空間３１を大きく膨張させる。コントローラ７０は、タイマ８０が表す日付が日中に属する場合、第２空間２２を少しだけ減圧することで、図４Ｂに示すように密封空間３１を僅かに膨張させる。
【０１０７】
なお、ここでは、図４Ｂと図４Ｃとの２つの状態のみについて示したが、連続的に密封空間３１を変化させてもよい。例えば、コントローラ７０は、時間毎、分毎又は秒毎に異なる制御量でピストン４０を制御してもよい。
【０１０８】
太陽高度は日時と相関関係を有するため、図６に示す例では、コントローラ７０は、タイマ８０が表す日時に基づいてピストン４０を制御したが、これに限らない。例えば、太陽高度と太陽光の第１ガラス板１０への入射角とが相関関係を有するので、太陽光を検知することで、検知した太陽光の入射角に応じてピストン４０を制御してもよい。
【０１０９】
例えば、複層ガラス１は鉛直方向に沿って配置される。したがって、太陽高度が高いときは、第１ガラス板１０への入射角は大きく、太陽高度が低いときは、第１ガラス板１０への入射角は小さい。
【０１１０】
図７は、本実施の形態に係る複層ガラス１ａのピストン４０を制御するための別の構成を示すブロック図である。
【０１１１】
図７に示すように、複層ガラス１ａは、図６に示す複層ガラス１と比較して、コントローラ７０及びタイマ８０の代わりに、コントローラ７０ａ及びセンサ８０ａを備える点が異なっている。
【０１１２】
センサ８０ａは、太陽光を検知する。センサ８０ａは、例えば、フォトダイオード、フォトトランジスタなどの光電変換素子である。センサ８０ａは、太陽光を受光可能な屋外側に設けられている。センサ８０ａは、例えば、第１ガラス板１０の表面に設けられているが、これに限らない。センサ８０ａは、例えば、複層ガラス１が設置される建造物の壁などに配置されてもよい。
【０１１３】
コントローラ７０ａは、センサ８０ａが検知した太陽光の第１ガラス板１０への入射角に基づいて、ピストン４０を制御する。コントローラ７０ａは、例えば、太陽光の入射角とピストン４０の制御量とを対応付けたテーブルを用いて、太陽光の入射角に対応する制御量でピストン４０を制御する。
【０１１４】
具体的には、コントローラ７０ａは、太陽光の入射角が所定の閾値より小さい場合、第２空間２２を充分に減圧することで、図４Ｃに示すように密封空間３１を大きく膨張させる。例えば、太陽光の入射角（図５におけるθ）がｎ１ｓｉｎθ＞ｎ２を満たす場合に、コントローラ７０ａは、ピストン４０を位置Ｐ２に移動させることで、第２空間２２の圧力を調整し、密封空間３１の断面形状を略半長円状にする。
【０１１５】
また、コントローラ７０ａは、太陽光の入射角が閾値より大きい場合、第２空間２２を少しだけ減圧することで、図４Ｂに示すように密封空間３１を僅かに膨張させる。例えば、太陽光の入射角（図５におけるθ）がｎ１ｓｉｎθ＜ｎ２を満たす場合に、コントローラ７０ａは、ピストン４０を位置Ｐ１に移動させることで、第２空間２２の圧力を調整し、密封空間３１の断面形状を略半円状にする。
【０１１６】
なお、ここでは、図４Ｂと図４Ｃとの２つの状態のみについて示したが、連続的に密封空間３１を変化させてもよい。
【０１１７】
［効果など］
以上のように、本実施の形態に係る複層ガラス１は、第１ガラス板１０と、第１ガラス板１０に対向し、かつ、第１ガラス板１０との間に空間２０を形成するように配置された第２ガラス板１１と、第１ガラス板１０の空間２０側の主面１０ａに部分的に接着された、伸縮性を有する透光性の樹脂層３０と、第２空間２２の気圧を変更するピストン４０とを備える。樹脂層３０は、気体が密封された密封空間３１を有し、ピストン４０が第２空間２２を加圧又は減圧することで密封空間３１が収縮又は膨張することにより、形状が変化する。
【０１１８】
このように、第２空間２２を加圧又は減圧することで密封空間３１が収縮又は膨張して、樹脂層３０が変形する。このため、第２空間２２の気圧を調節することで、密封空間３１及び樹脂層３０を所定の形状に変形させることができる。したがって、例えば、入射光の角度に応じて樹脂層３０及び密封空間３１を所定の形状に変化させることで、樹脂層３０と密封空間３１との界面で入射光を所定の方向に向けて反射させることができる。したがって、入射光の入射角が変化する場合であっても効率良く所定の方向に配光させることができる。
【０１１９】
また、例えば、樹脂層３０は、主面１０ａとの間の樹脂層３０が接着されていない部分に密封空間を３１有する。
【０１２０】
これにより、密封空間３１を容易に形成することができる。例えば、接着層５０を設けることで、均等な形状の複数の密封空間３１を容易に形成することができる。したがって、複数の密封空間３１の膨張及び収縮の変化を均一にすることができ、光学特性の面内均一性を高めることができる。
【０１２１】
また、例えば、樹脂層３０は、ピストン４０が第２空間２２を減圧することで密封空間３１が主面１０ａの法線方向に膨張することにより、形状が変化する。
【０１２２】
これにより、第２空間２２を減圧することで密封空間３１を主面１０ａの法線方向に膨張させるので、密封空間３１の上方側の界面が大きくなる。したがって、より多くの光を当該界面で反射させることができるので、入射光をより効率良く配光させることができる。
【０１２３】
また、例えば、樹脂層３０は、主面１０ａに平行な第１方向に離散的に、かつ、主面１０ａに平行で、第１方向に略直交する第２方向に連続的に、主面１０ａに接着され、密封空間３１は、第２方向に沿って長尺である。
【０１２４】
これにより、樹脂層３０と密封空間３１との界面を第２方向（例えば、水平方向）に長くすることができるので、当該界面で反射する光の量を多くすることができる。したがって、入射光をより効率良く配光させることができる。
【０１２５】
また、例えば、複層ガラス１は、屋外と屋内との間に、第１ガラス板１０が屋外側になり、第２ガラス板１１が屋内側になり、かつ、第２方向が水平方向に略一致するように設置される。
【０１２６】
これにより、効率良く太陽光を屋内に取り入れることができる。
【０１２７】
また、例えば、さらに、太陽高度が所定の高度より低い場合に第２空間２２を減圧するように、ピストン４０を制御するコントローラ７０を備える。
【０１２８】
これにより、太陽高度に応じてピストン４０を制御するので、密封空間３１の形状を太陽光の入射角に応じて適切な形状にすることができる。したがって、太陽光を、例えば屋内の天井側などに、より効率良く配光させることができる。
【０１２９】
また、例えば、さらに、日付又は時刻を表すタイマ８０を備え、コントローラ７０は、タイマ８０が表す日付又は時刻に基づいて、ピストン４０を制御する。
【０１３０】
これにより、日付又は時刻と太陽高度とは相関関係を有するので、日付又は時刻に応じてピストン４０を制御することで、密封空間３１の形状を太陽光の入射角に応じて適切な形状にすることができる。したがって、太陽光を、例えば屋内の天井側などに、より効率良く配光させることができる。
【０１３１】
また、例えば、さらに、太陽光を検知するセンサ８０ａを備え、コントローラ７０ａは、センサ８０ａが検知した太陽光の第１ガラス板１０への入射角に基づいて、ピストン４０を制御してもよい。
【０１３２】
これにより、太陽光の入射角に応じてピストン４０を制御するので、密封空間３１の形状を入射角に応じて適切な形状にすることができる。したがって、太陽光を、例えば屋内の天井側などに、より効率良く配光させることができる。
【０１３３】
（変形例）
以下では、上記の実施の形態に係る複層ガラス１の変形例について、図８を用いて説明する。
【０１３４】
図８は、本変形例に係る複層ガラス１００の断面図である。図８に示すように、複層ガラス１００は、実施の形態に係る複層ガラス１に比べて、さらに、マグネット式ロッドレスシリンダ１４０を備える点が異なっている。
【０１３５】
マグネット式ロッドレスシリンダ１４０は、圧力可変機構の一例である。具体的には、マグネット式ロッドレスシリンダ１４０は、アクチュエータの一例である。本実施の形態では、マグネット式ロッドレスシリンダ１４０は、枠体６０に沿って複数設けられている。例えば、２つのマグネット式ロッドレスシリンダ１４０が、枠体６０の上部と下部とに設けられている。
【０１３６】
図８に示すように、マグネット式ロッドレスシリンダ１４０は、スライド体１４１と、ガイド機構１４２とを備える。
【０１３７】
スライド体１４１は、ガイド機構１４２に沿ってスライド可能である。具体的には、スライド体１４１は、複層ガラス１００の厚み方向（紙面左右方向）に沿ってスライド可能である。例えば、スライド体１４１は、永久磁石又は電磁石を有し、ガイド機構１４２との間に発生する磁力によってスライドする。
【０１３８】
スライド体１４１は、ピストン４０を支持する。これにより、スライド体１４１がスライドすることで、ピストン４０をスライドさせることができる。具体的には、ピストン４０を複層ガラス１００の厚み方向に沿って移動させることができる。これにより、図２に示す場合と同じように、第２空間２２を加圧又は減圧することができる。
【０１３９】
ガイド機構１４２は、スライド体１４１をガイドする。具体的には、ガイド機構１４２は、複層ガラス１００の厚み方向に沿ってスライド体１４１をスライドさせる。例えば、ガイド機構１４２は、電磁石を有し、スライド体１４１との間に発生する磁力によってスライド体１４１をスライドさせる。
【０１４０】
マグネット式ロッドレスシリンダ１４０は、例えば、コントローラ７０又は７０ａによって制御される。具体的には、コントローラ７０又は７０ａは、スライド体１４１とガイド機構１４２との間に発生する磁力を制御することで、スライド体１４１をガイド機構１４２に沿って移動させる。例えば、コントローラ７０又は７０ａは、スライド体１４１を第１ガラス板１０から第２ガラス板１１に向かう方向にスライドさせることで、第２空間２２を減圧する。また、例えば、コントローラ７０又は７０ａは、スライド体１４１を第２ガラス板１１から第１ガラス板１０に向かう方向にスライドさせることで、第２空間２２を加圧する。これにより、第２空間２２の加圧又は減圧を行うことができるので、密封空間３１及び樹脂層３０の形状を変化させることができる。
【０１４１】
以上のように、本変形例に係る複層ガラス１００によれば、マグネット式ロッドレスシリンダ１４０がピストン４０をスライドさせることで、第２空間２２を加圧又は減圧することができる。これにより、上記の実施の形態と同様に、第２空間２２の気圧を調節することで、密封空間３１及び樹脂層３０を所定の形状に変形させることができる。したがって、入射光の入射角が変化する場合であっても効率良く所定の方向に配光させることができる。
【０１４２】
なお、本変形例では、図８に示すように、枠体６０には注入バルブ６１及びリークバルブ６２が設けられていないが、これに限らない。枠体６０には、注入バルブ６１若しくはリークバルブ６２、又は、複層ガラス１００の外部と連通する貫通孔が設けられていてもよい。これにより、第１空間２１の圧力を一定（例えば、大気圧）に保つことができる。
【０１４３】
また、本変形例では、アクチュエータの一例としてマグネット式ロッドレスシリンダ１４０を用いたが、これに限らない。ピストン４０を複層ガラス１００の厚み方向に沿って可動にする構成であれば、いかなるものでもよい。
【０１４４】
（その他）
以上、本発明に係る複層ガラスについて、上記の実施の形態及びその変形例に基づいて説明したが、本発明は、上記の実施の形態に限定されるものではない。
【０１４５】
例えば、上記の実施の形態では、複層ガラス１が圧力可変機構としてピストン４０を備える例について示したが、これに限らない。例えば、複層ガラス１は、ピストン４０を備えずに、注入バルブ６１及びリークバルブ６２の少なくとも一方に、空間２０を加圧又は減圧するポンプを圧力可変機構として備えてもよい。すなわち、空間２０は第１空間２１と第２空間２２とに分割されておらず、ポンプは、空間２０全体の圧力を変更してもよい。例えば、コントローラ７０は、太陽高度が低い場合に空間２０を減圧するように、ポンプを制御してもよい。
【０１４６】
また、例えば、上記の実施の形態では、注入バルブ６１及びリークバルブ６２を設けたが、気体の注入及び排出を行う１つのバルブのみを設けてもよい。
【０１４７】
また、例えば、上記の実施の形態では、接着層５０及び密封空間３１が水平方向に長尺である例について示したが、これに限らない。例えば、接着層５０が格子状に設けられ、複数の密封空間３１が行列状に二次元配置されてもよい。すなわち、複数の密封空間３１は、ドット状に設けられていてもよい。
【０１４８】
また、例えば、上記の実施の形態では、密封空間３１が樹脂層３０と主面１０ａとの間に設けられる例について示したが、これに限らない。例えば、密封空間３１は、樹脂層３０に内包されていてもよい。
【０１４９】
また、例えば、上記の実施の形態では、屈折率が大きい樹脂層３０と屈折率が小さい密封空間３１との界面で太陽光を反射させたが、これに限らない。例えば、屈折率が大きい樹脂層３０と屈折率が小さい第２空間２２との界面で太陽光を反射させてもよい。
【０１５０】
また、例えば、上記の実施の形態では、第１方向が鉛直方向である例について示したが、これに限らない。例えば、第１方向は、鉛直方向に対して傾斜していてもよい。
【０１５１】
また、例えば、上記の実施の形態では、接着層５０の厚みを利用して密封空間３１を形成したが、これに限らない。第１ガラス板１０の主面１０ａに凹部が形成され、当該凹部に接着層５０が充填されてもよい。これにより、例えば、樹脂層３０と主面１０ａとの間をより狭くすることができるので、通常状態（透明状態）での密封空間３１を小さくすることができる。したがって、透明状態において、密封空間３１と樹脂層３０との界面で反射する光を減らすことができる。つまり、複層ガラス１の透明度をより高めることができる。
【０１５２】
また、例えば、複層ガラス１は、接着層５０を備えていなくてもよい。例えば、接着性を有する樹脂層３０が主面１０ａに直接接着されていてもよい。例えば、紫外線照射などにより樹脂層３０の接着性を部分的になくすことにより、主面１０ａとの間に密封空間３１を形成することができる。
【０１５３】
また、例えば、複層ガラス１は、屋外側と屋内側とを反対にして設置してもよい。すなわち、複層ガラス１は、第２ガラス板１１が屋外側になり、第１ガラス板１０が屋内側になるように設置してもよい。
【０１５４】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１５５】
１、１ａ、１００  複層ガラス
１０  第１ガラス板
１０ａ  主面
１１  第２ガラス板
２０  空間
３０  樹脂層
３１  密封空間
４０  ピストン（圧力可変機構）
７０、７０ａ  コントローラ（制御部）
８０  タイマ
８０ａ  センサ
１４０  マグネット式ロッドレスシリンダ（圧力可変機構）
【図１】
2016216311.tif 000003
【図２】
2016216311.tif 000004
【図３】
2016216311.tif 000005
【図４Ａ】
2016216311.tif 000006
【図４Ｂ】
2016216311.tif 000007
【図４Ｃ】
2016216311.tif 000008
【図５】
2016216311.tif 000009
【図６】
2016216311.tif 000010
【図７】
2016216311.tif 000011
【図８】
2016216311.tif 000012